(57)【特許請求の範囲】
【請求項１】
外容器の内壁に沿って空気を下方に向かい旋回させるサイクロン作用により塵埃を集塵する第一遠心力集塵部と、前記第一遠心力集塵部に連通し下方に設けた第二導入口から上方に向かい空気を旋回させるサイクロン作用により塵埃を集塵する第二遠心力集塵部と、前記第二遠心力集塵部に連通し上方に設けた第三導入口から下方に向かい空気を旋回させるサイクロン作用により塵埃を集塵する第三遠心力集塵部から構成される遠心力集塵装置。
【請求項２】
外容器の内壁側には、第一遠心力集塵部への空気の流入口である吸気口より導入した空気を回転に伴って下方に導くスパイラルのガイドを設けてなる請求項１項記載の遠心力集塵装置。
【請求項３】
第一遠心力集塵部の内側壁面に複数の穿孔を設け、第二遠心力集塵部下方に設けた複数の第二導入口と連通してなる請求項１または２記載の遠心力集塵装置。
【請求項４】
穿孔は外容器の旋回気流の後方側に向け傾斜させてなる請求項３記載の遠心力集塵装置。
【請求項５】
穿孔は下方が径小で上方が径大にしてなる請求項３または４記載の遠心力集塵装置。
【請求項６】
第二遠心力集塵部の上方には旋回気流の上流側に向け傾斜する傾斜壁を設け、前記傾斜壁に含塵空気を衝突させることにより塵埃を前記第二遠心力集塵部の下方に集塵する請求項１〜５項のいずれか１項に記載の遠心力集塵装置。
【請求項７】
穿孔を有する壁は、一対の対向し平行なる構成をなす請求項３〜６項のいずれか１項記載の遠心力集塵装置。
【請求項８】
遠心力集塵装置は、略円形の有底の外容器と、前記外容器に上方より挿入して外容器の上面を閉塞する遠心力集塵部ユニットで構成するとともに、前記遠心力集塵部ユニットは３部品で構成し組み合わせて一体化してなる請求項１〜７項のいずれか１項に記載の遠心力集塵装置。
【請求項９】
遠心力集塵部ユニットはネジ締めなどにより一体化することにより分解可能にしてなる請求項８項記載の遠心力集塵装置。
【請求項１０】
第一遠心力集塵部下方の第一集塵部と、第二遠心力集塵部下方の第二集塵部と、第三遠心力集塵部下方の第三集塵部を、外容器と遠心力集塵部ユニットの組み合わせ状態で構成するとともに、遠心力集塵部ユニットを外容器から離脱しても、前記三つの集塵部の塵埃は外容器内に残留してなる請求項８または９記載の遠心力集塵装置。
【請求項１１】
穿孔の総面積は吸気口面積の３倍以上である請求項３〜１０項のいずれか１項に記載のサイクロン作用による遠心力集塵装置。
【請求項１２】
第三遠心力集塵部下方の第三集塵部には旋回流による微細塵の旋回を阻止するリブを設けてなる請求項１〜１１項のいずれか１項に記載の遠心力集塵装置。
【請求項１３】
遠心力集塵装置を可透性材料で構成してなる請求項１〜１２項のいずれか１項に記載の遠心力集塵装置。
【請求項１４】
掃除機本体には吸引ファンモータを内蔵し、前記掃除機本体の吸引側にホースを接続する本体吸気口を形成するとともに、前記本体吸気口の後方に請求項１〜１３のいずれか１項に記載の遠心力集塵装置を組み込む負圧室を形成し、前記遠心力集塵装置の上部に蓋体を設けるとともに、前記蓋体を開いて前記遠心力集塵装置を着脱する電気掃除機。
【請求項１５】
掃除機本体には吸引ファンモータを内蔵し、前記掃除機本体の吸引側にホースを接続する本体吸気口を形成するとともに、前記本体吸気口の後方に請求項１〜１３のいずれか１項に記載の遠心力集塵装置を組み込む負圧室を形成し、前記遠心力集塵装置の上部に蓋体を設けて、蓋体の閉塞により遠心力集塵装置を介して本体吸気口から吸引ファンモータへへ連通する流路を形成してなる電気掃除機。
【請求項１６】
遠心力集塵装置内の負圧を検知して、前記遠心力集塵装置内に大気を導入する弁装置を設けてなる請求項１４または１５項記載の電気掃除機。
【発明の詳細な説明】
【０００１】
【発明の属する技術分野】
本発明は、サイクロン作用による遠心力集塵装置の改良によるもので、塵埃の圧縮を図って実質の集塵容量を増大させると共に、塵埃の捕集効率の向上を図ったサイクロン作用による遠心力集塵装置を提供する。
【０００２】
【従来の技術】
従来のサイクロン作用による遠心力集塵装置を、図１０〜図１２を用いて説明する。
【０００３】
図１０は最も一般的なサイクロン作用による遠心力集塵装置で、円錐形の容器本体１０１の下方に集塵室１０２を設け、上方には略接線方向から含塵空気を導入する吸気パイプ１０３を、中央上方には排気パイプ１０４を設けている。
【０００４】
吸気パイプ１０３から容器本体１０１に導入された含塵空気は容器本体１０１の内面を旋回しながら塵埃が分離されて集塵室１０２に捕獲され空気が排気パイプ１０４から排出される。
【０００５】
図１１は、遠心力集塵装置が電気掃除機に使用されている例で、アップライト型電気掃除機本体２０１の下方に吸込具２０２が設けられている。アップライト型電気掃除機本体２０１の内部には円筒形の第一遠心力集塵部２０３が設けられている。前記第一遠心力集塵部２０３上方には略接線方向から含塵空気を導入する第一吸気口２０４が設けられており、第一通路２０５によって前記吸込具２０２と連通している。前記第一遠心力集塵部２０３内部には円錐形の第二遠心力集塵部２０６が設けられており、下方に細塵室２０７を形成している。前記第二遠心力集塵部２０６上方には略接線方向から含塵空気を導入する第二吸気口２０８が設けられており、第二通路２０９によって前記第一遠心力集塵部２０３と連通している。前記第二遠心力集塵部２０６の中央上方には排気パイプ２１０が設けられており、排気通路２１１を通じてファンモータ２１２に連通している。
【０００６】
吸込具２０２から吸引された含塵空気は第一通路２０５を通って第一吸気口２０４より第一遠心力集塵部２０３に導入され、内面を旋回しながら塵埃が分離されるサイクロン作用により、第一遠心力集塵部２０３下部に堆積される。第一遠心力集塵部２０３で分離できなかった細塵は空気と共に第二吸気口２０８より第二遠心力集塵部２０６に導入され内面を旋回しながら細塵が分離されて細塵室２０７に捕獲される。排気パイプ２１０より出た排気は排気通路２１１を通じてファンモータに吸引され機外に排出される。
【０００７】
図１２は図１１と類似の形態であるが、第一遠心力集塵部３０１上方には略接線方向から含塵空気を導入する第一吸気口３０２が設けられている。前記第一遠心力集塵部３０１内部には円錐形の第二遠心力集塵部３０３が設けられており、下方に細塵室３０４を形成している。前記第二遠心力集塵部３０３上方には略接線方向から含塵空気を導入する第二吸気口３０５が設けられている。前記第二遠心力集塵部３０３の外周には前記第一遠心力集塵部３０１の空気を前記第二吸気口３０５に流すことを可能にする穿孔３０８を備え、且つ前記第一遠心力集塵部３０１の内面から間隔を隔てて平行に配置されたシュラウド３０６を設けている。前記第二遠心力集塵部３０３の中央上方には排気パイプ３０７が設けられている。
【０００８】
第一吸気口３０２より第一遠心力集塵部３０１に導入された含塵空気は第一遠心力集塵部３０１内面を旋回しながら塵埃が分離されて第一遠心力集塵部３０１下部に堆積される。第一遠心力集塵部３０１で分離できなかった細塵は空気と共にシュラウド３０６を通って第二吸気口３０５より第二遠心力集塵部３０３に導入され内面を旋回するサイクロン作用により、細塵が分離されて細塵室３０４に捕獲され空気が排気パイプ３０７から排出される。
・
【発明が解決しようとする課題】
・このような上記従来のサイクロン作用による遠心力集塵装置にあっては、分離されるべき塵埃が排気パイプ（２１０、３０７）に向かう気流の影響を受けると舞い上げられてしまって排出され、捕集効率が悪くなるためサイクロン作用による遠心力集塵部の長さを長く取る必要があり、機器が大型化してしまうために背丈の低い部分や機器への組込みには不具合があった。また、塵埃は自重と旋回流だけで堆積するだけのため、綿ゴミなどの軽くてかさばる塵埃に対してゴミ圧縮が出来ないために容器の大きさの割には実質の集塵量が少ないと言う問題があった。
【０００９】
本発明は、以上のような従来の課題を解決するものであって、本体の大型化なしに小型コンパクトな機器に組込み可能で、ゴミ圧縮ができ実質の集塵量が多く捕集効率の良いサイクロン作用による遠心力集塵装置を提供することを目的とする。
【００１０】
【課題を解決するための手段】
上記目的を達成するために本発明は、外容器の内壁に沿って空気を下方に向かい旋回させるサイクロン作用により塵埃を集塵する第一遠心力集塵部と、前記第一遠心力集塵部に連通し下方に設けた第二導入口から上方に向かい空気を旋回させるサイクロン作用により塵埃を集塵する第二遠心力集塵部と、前記第二遠心力集塵部に連通し上方に設けた第三導入口から下方に向かい空気を旋回させるサイクロン作用により塵埃を集塵する第三遠心力集塵部から構成される遠心力集塵装置としたもので、遠心力集塵部を３箇所内方へと設けることで、サイクロン部の長さが短かくても実質の集塵量が多く、第一遠心力集塵部を通過した細塵も第二遠心力集塵部、第三遠心力集塵部で分離捕集でき捕集効率を良くすることができる。
【００１１】
【発明の実施の形態】
本発明の請求項１記載の発明は、外容器の内壁に沿って空気を下方に向かい旋回させるサイクロン作用により塵埃を集塵する第一遠心力集塵部と、前記第一遠心力集塵部に連通し下方に設けた第二導入口から上方に向かい空気を旋回させるサイクロン作用により塵埃を集塵する第二遠心力集塵部と、前記第二遠心力集塵部に連通し上方に設けた第三導入口から下方に向かい空気を旋回させるサイクロン作用により塵埃を集塵する第三遠心力集塵部から構成される遠心力集塵装置としたもので、遠心力集塵部を３箇所内方へと設けることで、サイクロン部の長さが短かくても実質の集塵量が多く、第一遠心力集塵部を通過した細塵も第二遠心力集塵部、第三遠心力集塵部で分離捕集でき捕集効率を良くすることができる。
【００１２】
本発明の請求項２記載の発明は、外容器の内壁側には、第一遠心力集塵部への空気の流入口である吸気口より導入した空気を回転に伴って下方に導くスパイラルのガイドを設けてなるもので、塵埃の旋回下降力をより有効に利用してゴミ圧縮性能が向上でき、塵埃の舞い上げを減少させ、第二遠心力集塵部に流入する塵埃量を減少させることで第二遠心力集塵部での分離の負担を軽減させ捕集効率を良くすることができる。
【００１３】
本発明の請求項３記載の発明は、第一遠心力集塵部の内側壁面に複数の穿孔を設け、第二遠心力集塵部下方に設けた複数の第二導入口と連通してなるもので、外容器内周から均一に第二導入口に空気の移動ができることで部分的な圧力差の発生や流速の偏りを防止でき、細塵の第二遠心力集塵部への侵入を少なくすることができる。また、第二導入口を複数にすることで全体風量を確保しながら第二導入口１個当たりの断面積を小さくすることで風速を早めることが出来、サイクロンによる分離性能を高めることができる。
【００１４】
本発明の請求項４記載の発明は、穿孔は外容器の旋回気流の後方側に向け傾斜させてなるもので、旋回中の塵埃が直接第二導入口に侵入する割合を減少させることで第二遠心力集塵部での分離の負担を軽減させ捕集効率を良くすることができる。
【００１５】
本発明の請求項５記載の発明は、穿孔は下方が径小で上方が径大にしてなるもので、外容器下部の粗塵溜まり部においても一般的に質量が大きい塵埃は下部に、質量が小さくて体積の大きい塵埃は上方に堆積されやすいので、塵埃が第二導入口に侵入し難くしながら空気の流通性を確保することができる。
【００１６】
本発明の請求項６記載の発明は、第二遠心力集塵部の上方には旋回気流の上流側に向け傾斜する傾斜壁を設け、前記傾斜壁に含塵空気を衝突させることにより塵埃を前記第二遠心力集塵部の下方に集塵するもので、第二遠心力集塵部で上方に上がった細塵をスムーズに連通口に移動させることができるとともに、第三遠心力集塵部に流入する塵埃量を減少させることで、第三遠心力集塵部での分離の負担を軽減させ捕集効率を良くすることができる。
【００１７】
本発明の請求項７記載の発明は、穿孔を有する壁は、一対の対向し平行なる構成をなすもので、外容器内周を旋回する平行の空気層と平行に構成された穿孔面の間に空気溜まり部が出来、下方に旋回してきた空気がこの空気溜まり部から上昇することにより下降風と上昇風がぶつかって流路圧損になることが軽減できる。また、成形金型製作時のピンの突合せも容易で安価で成形時のバリの発生の心配も軽減できる。
【００１８】
本発明の請求項８記載の発明は、遠心力集塵装置は、略円形の有底の外容器と、前記外容器に上方より挿入して外容器の上面を閉塞する遠心力集塵部ユニットで構成するとともに、前記遠心力集塵部ユニットは３部品で構成し組み合わせて一体化してなるもので、１つづつの部品製作が容易で入り組んだ複雑な構成が形成できる。
【００１９】
本発明の請求項９記載の発明は、遠心力集塵部ユニットはネジ締めなどにより一体化することにより分解可能にしてなるもので、分解可能にしてしているために、万一、遠心力集塵部ユニットに塵埃が詰まったときにも容易にメンテナンスができる。
【００２０】
本発明の請求項１０記載の発明は、第一遠心力集塵部下方の第一集塵部と、第二遠心力集塵部下方の第二集塵部と、第三遠心力集塵部下方の第三集塵部を、外容器と遠心力集塵部ユニットの組み合わせ状態で構成するとともに、遠心力集塵部ユニットを外容器から離脱しても、前記三つの集塵部の塵埃は外容器内に残留してなるもので、ゴミ捨て時に遠心力集塵部ユニットの離脱を行うだけで全ての塵埃が外容器内に収容され、ゴミ捨てが簡単に行える。
【００２１】
本発明の請求項１１記載の発明は、穿孔の総面積は吸気口面積の３倍以上であるもので、穿孔を通過するときの流速を遅くすることができるため、穿孔から第二遠心力集塵部に流出する塵埃量を減少させることで、第二遠心力集塵部での分離の負担を軽減させ捕集効率を良くすることができる。
【００２２】
本発明の請求項１２記載の発明は、第三遠心力集塵部下方の第三集塵部には旋回流による微細塵の旋回を阻止するリブを設けてなるもので、一旦微細塵溜まり部に捕獲された微細塵が、第三遠心力集塵部の旋回流の影響を受けて舞い上がり排気パイプから流出するのを防止することができる。
【００２３】
本発明の請求項１３記載の発明は、遠心力集塵装置を可透性材料で構成してなるもので、外容器への塵埃の堆積状態が容易に視認できるだけでなく、万一、遠心力集塵部ユニットに塵埃が詰まったときにも容易に内部が視認できる。
【００２４】
本発明の請求項１４記載の発明は、掃除機本体には吸引ファンモータを内蔵し、前記掃除機本体の吸引側にホースを接続する本体吸気口を形成するとともに、前記本体吸気口の後方に請求項１〜１３のいずれか１項に記載の遠心力集塵装置を組み込む負圧室を形成し、前記遠心力集塵装置の上部に蓋体を設けるとともに、前記蓋体を開いて前記遠心力集塵装置を着脱するもので、ゴミ捨て時に、前記蓋体を開いて遠心力集塵装置の離脱を行うだけでゴミ捨てが簡単に行える。
【００２５】
本発明の請求項１５記載の発明は、掃除機本体には吸引ファンモータを内蔵し、前記掃除機本体の吸引側にホースを接続する本体吸気口を形成するとともに、前記本体吸気口の後方に請求項１〜１３のいずれか１項に記載の遠心力集塵装置を組み込む負圧室を形成し、前記遠心力集塵装置の上部に蓋体を設けて、蓋体の閉塞により遠心力集塵装置を介して本体吸気口から吸引ファンモータへへ連通する流路を形成してなるもので、遠心力集塵装置の排気パイプと吸引ファンモータへの複雑な接続とシールが蓋体の掃除機本体への閉塞により不要になり、構成の簡単な遠心力集塵式電気掃除機が提供できる。また、掃除機本体の吸引側に負圧室を形成した構成は紙袋式の電気掃除機と同じ構成のため、容易に遠心力集塵式と紙袋式の互換性のある電気掃除機が提供できる。
【００２６】
本発明の請求項１６記載の発明は、遠心力集塵装置内の負圧を検知して、前記遠心力集塵装置内に大気を導入する弁装置を設けてなるもので、遠心力集塵装置の外容器が、塵埃で一杯になって空気の流れが阻害されたときでも吸引ファンモータの温度上昇を防止できる。
【００２７】
【実施例】
（実施例１）
以下本発明の第１の実施例を、図１〜図６を用いて説明する。
【００２８】
有底の略円筒形の外容器１ｂと、前記外容器１ｂの上方にはサイクロン作用を生み出すよう略接線方向より含塵空気を導入する吸気口２と、下部には粗塵溜まり１ａを設けて第一遠心力集塵部１を構成している。前記外容器１ｂの内壁側には、前記吸気口２より導入した含塵空気を回転に伴って下方に導くようスパイラル状のガイド３を設けており、塵埃はこのガイド３により速やかに前記粗塵溜まり（第一集塵部）１ａに堆積される。ガイド３により塵埃の旋回下降力をより有効に利用してゴミ圧縮性能が向上でき、塵埃の舞い上げを減少させる。前記外容器１ｂの内部には、外容器１ｂにセットした状態で外容器１ｂの上部開口を閉塞する遠心力集塵部ユニット４が設けられている。前記遠心力集塵部ユニット４の前記外容器１ｂの内部側には、図３、図４に示すように両面Ｄカットしたような形状で前記外容器１ｂの内周から一定の距離を置いて一対の対面に平行に穿孔面５が形成されている。前記外容器１ｂ内周を旋回する平行の空気層と、平行に構成された穿孔面５の間に空気溜まり部が出来、下方に旋回してきた空気がこの空気溜まり部から上昇することにより、下降風と上昇風がぶつかって流路圧損になることが軽減できる。前記穿孔面５には図６に示すように下方が径小で上方が径大に形成した多数の穿孔５ａが形成されており、穿孔５ａへと気流が流れる訳であるが、粗塵溜まり部においても一般的に質量が大きい塵埃は下部に、質量が小さくて体積の大きい塵埃は上方に堆積されやすいので、塵埃が下流に堆積しても空気の流通性を確保することができる。また、穿孔５ａの総面積は前記吸気口１の面積の３倍以上にしているので、穿孔５ａを通過するときの流速を遅くすることができるため、穿孔５ａから空気の流れとともに流出する塵埃量を減少させることができる。前記穿孔面５の内側には第二遠心力集塵部６が構成されており、第二遠心力集塵部６下方には第二導入口７が形成されている。第二導入口７は、前記第二遠心力集塵部壁６ｂの内径に対してサイクロン作用を生み出すよう略接線方向に形成されている。前記第二遠心力集塵部６の上方外側には穿孔面５を外れ下部細塵溜まり６ａ（第二集塵部）に連通する連通口８が形成されており、図４に示すように前記第二導入口７に対応した吸気側の面に穿孔面５が来るように配置している。前記穿孔面５と連通口８は複数の隔壁９により分離しており、これに対応して前記第二導入口７も複数箇所形成している。前記穿孔５ａを通過した細塵を含んだ空気が前記第二導入口７から導入され、前記第二遠心力集塵部壁６ｂの内周を旋回して上昇する。前記第二遠心力集塵部６の上方には外側の連通口８へ傾斜する傾斜壁１０を設けて第二遠心力集塵部で上方に上がった細塵を前記傾斜壁１０に衝突させることで下部細塵溜まり６ａに集塵させることができる。前記第二遠心力集塵部６の内側には下方に向かう第三遠心力集塵部１１が構成されており、第三遠心力集塵部１１上方には第三導入口１２が形成されている。第三導入口１２は前記第三遠心力集塵部１１の内径に対してサイクロン作用を生み出すよう略接線方向に形成されている。また、前記第三遠心力集塵部１１の下部には微細塵溜まり１１ａを形成している。前記第二遠心力集塵部６で細塵を分離された空気にも微細塵が含まれており、この空気が前記第三導入口１２から前記第三遠心力集塵部１１に導入され、旋回流によって微細塵が分離されて前記微細塵溜まり１１ａに捕獲される。微細塵溜まり（第三集塵部）１１ａ部には前記第三遠心力集塵部１１の旋回流による微細塵の旋回を阻止するリブ１３を設けている。前記第三遠心力集塵部１１の中央上部には排気パイプ１４が設けられており、塵埃を分離された空気だけが排気される。前記リブ１３は、一旦微細塵溜まり部（第三集塵部）１１ａに捕獲された微細塵が第三遠心力集塵部１１の旋回流の影響を受けて舞い上がり、排気パイプ１４から流出するのを防止することができる。前記外容器１ｂの底面にはパッキンａ１５が、前記遠心力集塵部ユニット４の底面の細塵溜まり（第二集塵部）６ａ、微細塵溜まり（第三集塵部）１１ａを気密にシールしている。また、前記外容器１ｂの上部開口と前記第二遠心力集塵部ユニット４の上部は、パッキンｂ１６によりシールされているため、前記吸気口２から導入された含塵空気はそれぞれのサイクロンで塵埃が分離され、リークすることなくきれいな空気だけが前記排気パイプ１４から排出される訳である。
【００２９】
図５に示すように遠心力集塵部ユニット４は、主に排気パイプ１４および傾斜壁１０を有する部品４ａと、第二遠心力集塵部壁６ｂを有する部品４ｂと、第三遠心力集塵部を構成する部品４ｃの３部品で構成し、ネジ(図示せず)により組み合わせて一体化しているので、１つづつの部品製作が容易で第二導入口７や第三導入口１２等の入り組んだ複雑な構成が簡単に形成できる。また、前記外容器１ｂの内側に粗塵溜まり１ａ（第一集塵部）を、第二遠心力集塵部６下部に細塵溜まり（第二集塵部）６ａを、第三遠心力集塵部１１下部に微細塵溜まり（第三集塵部）１１ａを、外容器１ｂと遠心力集塵部ユニット４の組み合わせ状態で構成すると共に、遠心力集塵部ユニット４の離脱において前記３箇所の塵埃は外容器１ｂ内に収容されるように構成しているので、ゴミ捨て時に遠心力集塵部ユニット４の離脱を行うだけで、全ての塵埃が外容器１ｂ内に残留しゴミ捨てが簡単に行える。更に、外容器１ｂ及び遠心力集塵部ユニット４を透明材料で構成しているので、外容器１ｂへの塵埃の堆積状態が容易に視認できるだけでなく、万一遠心力集塵部ユニット４に塵埃が詰まったときにも容易に内部が視認できる。
【００３０】
また、図７のように、穿孔面５に設けた穿孔５ａは外容器１ｂの旋回気流の後方側に向け傾斜させることで、旋回中の塵埃が直接第二導入口７に侵入する割合を減少させることが出来、第二遠心力集塵部６での分離の負担を軽減させ捕集効率を良くすることができる。
【００３１】
図８は、前記遠心力集塵装置を電気掃除機に組み込んだ実施例を示すもので、掃除機本体１７には吸引ファンモータ１８を内蔵し、前記掃除機本体１７の吸引側に遠心力集塵装置を組み込む負圧室１９を形成し、更に、前方吸引側にホース（図示せず）を接続する本体吸気口２０を形成し、前記サイクロン作用による遠心力集塵装置の上部に蓋体２１を設けて、蓋体２１の閉塞により遠心力集塵装置を介して本体吸気口２０から吸引ファンモータ１８への流路を形成するようにしたので、遠心力集塵装置の排気パイプ１４と吸引ファンモータ１８への複雑な接続とシールが、蓋体２１の掃除機本体１７への閉塞により不要になり、構成の簡単な遠心力集塵式の電気掃除機が構成できる。また、掃除機本体１７の吸引側に負圧室１９を形成した構成は、紙袋式の電気掃除機と同じ構成のため、容易に遠心力集塵装置と紙袋式の互換性のある電気掃除機が提供できる。さらに、遠心力集塵装置は、前記蓋体２１を開いて前記遠心力集塵装置を上下方向に着脱するもので、ゴミ捨て時に、前記蓋体２１を開いて遠心力集塵装置の離脱を行うだけでゴミ捨てが簡単に行える。
【００３２】
図９は、穿孔面５の下流側に、負圧を検知して大気を導入する弁装置２２を設けたので、遠心力集塵装置の外容器１ｂが塵埃で一杯になって空気の流通が阻害されたときの吸引ファンモータの温度上昇を防止できる。また、穿孔面５と第二導入口７の間に配置することで、弁装置２２の動作で穿孔５ａを通過して溜まった綿ゴミなどを吹き飛ばし、内部でのゴミ詰まりを未然に防止することができる。
【００３３】
【発明の効果】
本発明によれば、略円形の外容器と前記外容器の内壁に沿って空気を下方に向かい旋回させるサイクロン作用により塵埃を集塵する第一遠心力集塵部と、前記第一遠心力集塵部に連通し下方に設けた第二導入口から上方に向かい空気を旋回させるサイクロン作用により塵埃を集塵する第二遠心力集塵部と、前記第二遠心力集塵部に連通し上方に設けた第三導入口から下方に向かい空気を旋回させるサイクロン作用により塵埃を集塵する第三遠心力集塵部から構成される遠心力集塵装置としたもので、遠心力集塵部を３箇所内方へと設けることで、サイクロン部の長さが短かくても実質の集塵量が多く、第一遠心力集塵部を通過した細塵も第二遠心力集塵部、第三遠心力集塵部で分離捕集でき捕集効率を良くすることができる。
【図面の簡単な説明】
【図１】本発明の第１の実施例を示す遠心力集塵装置の縦断面図
【図２】同遠心力集塵装置の横断面図
【図３】図１のＡ−Ａ断面図
【図４】図２のＢ−Ｂ断面図
【図５】同第二遠心力集塵部ユニットの構成を示す分解断面図
【図６】同第二遠心力集塵部ユニットの穿孔面の正面図
【図７】図１の他のＡ−Ａ断面図
【図８】同遠心力集塵装置を組み込んだ電気掃除機の断面図
【図９】同遠心力集塵装置を組み込んだ電気掃除機に弁装置を設けた例の部分断面図
【図１０】従来の遠心力集塵装置の一例を示す断面図
【図１１】従来の他の遠心力集塵装置を組み込んだ電気掃除機断面図
【図１２】同他の遠心力集塵装置の断面図
【符号の説明】
１  第一遠心力集塵部
１b  外容器
２  吸気口
５  穿孔面
５ａ  穿孔
６  第二遠心力集塵部
７  第二導入口
８  連通口
９  隔壁
１０  傾斜壁
１１  第三遠心力集塵部
１４  排気パイプ
【図１】
0003659191.tif 000002
【図２】
0003659191.tif 000003
【図３】
0003659191.tif 000004
【図４】
0003659191.tif 000005
【図５】
0003659191.tif 000006
【図６】
0003659191.tif 000007
【図７】
0003659191.tif 000008
【図８】
0003659191.tif 000009
【図９】
0003659191.tif 000010
【図１０】
0003659191.tif 000011
【図１１】
0003659191.tif 000012
【図１２】
0003659191.tif 000013